(57)【特許請求の範囲】
【請求項１】
容器に形成されている首部に嵌合させられる円筒部と、
その円筒部の上端側の周縁部の一部にヒンジ部を介して連結されかつ前記円筒部の上端側の周縁部の他の部分に易破断部を介して連結されて前記首部の先端に形成されている口部を封止する開閉部とを備えた再栓ロック付きキャップにおいて、
前記開閉部は、前記ヒンジ部とは反対側に前記首部の外周面の一部を覆う断面円弧状の側壁部を備えるとともに、その側壁部の下端部に前記開閉部を押し上げるために指を掛ける突片部が設けられ、
前記易破断部は、前記側壁部のエッジ部と前記円筒部との間に形成され、
前記開閉部で前記突片部を挟んだ両側にロックバンドが一体に形成されるとともに、
そのロックバンドの先端部には係合部が形成され、かつ
前記円筒部のうち前記ヒンジ部に隣接した箇所には、前記係合部を係止させて前記開閉部を閉止状態に維持させる係止部が形成されており、
前記ロックバンドは、前記係合部を前記係止部に係止することにより前記易破断部を横切って前記側壁部から円筒部に亘って巻き付けられるように構成されていることを特徴とする再栓ロック付きキャップ。
【発明の詳細な説明】
【技術分野】
【０００１】
本発明は、食品、飲料、化粧品、トイレタリー、日用品、文具などの包装容器として、ボトル型缶、瓶、カップ、袋などの容器の口部に取り付けられ、特に再栓時におけるロック機能を有した再栓ロック付きキャップに関するものである。
【背景技術】
【０００２】
従来、飲料用ボトル型缶や瓶などの容器の首部に形成された雄ネジと、キャップの内周面に形成された雌ネジとによって、容器に嵌合させるネジ式キャップや、容器の首部に環状突起を形成し、キャップの内周面に突起を形成して、キャップを容器に押し込むことにより、キャップを容器に嵌合させる打栓式キャップが知られている。また、飲料用ボトルのように繰り返し開閉される商品に使用されるキャップには、再栓した状態で不用意に開栓しないようにロック機構を設けたものが知られている。
【０００３】
特許文献１には、キャップの側壁面の下端縁から上方に所定の長さの切れ目を有し、かつその切れ目を閉じる方向に係止する係止部材を備えているロック付き打栓キャップが記載されている。また、特許文献２には、一体成形されたヒンジキャップとは他に成形されたロック部材とをスポット溶着したロック付きヒンジキャップが記載されている。さらに、特許文献３および特許文献４には、一体成形されたロック付きヒンジキャップが記載されている。
【先行技術文献】
【特許文献】
【０００４】
【特許文献１】特開２００４−２８４６３７号公報
【特許文献２】実開平５−３５７３２号公報
【特許文献３】実開平４−１１５９号公報
【特許文献４】実開昭６３−１４７４６１号公報
【発明の概要】
【発明が解決しようとする課題】
【０００５】
上記特許文献１に記載されたキャップは、打栓式キャップであり、キャップの側面に設けられた切れ目を閉じる方向に係止部材で係止することにより、キャップ下端部の開口面積を小さくすることができる。したがって、再栓時には、係止部材で切れ目を閉じる方向に係止してキャップをロックすることができる。それとは反対に、開栓時には、係止部材を解放することにより、キャップの下端部の開口面積を広くすることができるので、キャップを容器から取り外すことができる。しかしながら、特許文献１に記載されたキャップは、容器に対して着脱される打栓キャップであるから、前記係止部材を設けることに関して制約が少ないが、これに対して容器の口部を開閉する開閉部を、容器に装着される固定部（もしくは本体部）にヒンジによって連結してある構成のいわゆるヒンジキャップにあっては、そのヒンジと併せてロックのための部材もしくは部分を開閉部および固定部（もしくは本体部）に設ける必要があるなどの制約があるから、ヒンジキャップに特有の構成を開発する余地がある。
【０００６】
また、特許文献２に記載されたキャップは、容器に取り付けた状態で開閉できるヒンジキャップであるが、キャップとロック部材とが一体成形されていないので、それぞれの部材を成形した後に溶着する必要がある。さらに、特許文献３および４には、一体成形されたロック付きヒンジキャップが記載されているが、いずれのヒンジキャップにおいても、キャップが開いた状態もしくは開栓した状態で成形する必要がある。つまり、一旦開栓された状態を視覚的に判断できるいわゆるピルファープルーフ機能を有したキャップには、これらのロック付きヒンジキャップを適用することができない。
【０００７】
本発明は上記の事情を背景としてなされたものであり、ロック部材とキャップとを一体成形でき、かつピルファープルーフ機能を有した再栓ロック付きキャップを提供することを目的とするものである。
【課題を解決するための手段】
【０００８】
上記の目的を達成するために、請求項１の発明は、容器に形成されている首部に嵌合させられる円筒部と、その円筒部の上端側の周縁部の一部にヒンジ部を介して連結されかつ前記円筒部の上端側の周縁部の他の部分に易破断部を介して連結されて前記首部の先端に形成されている口部を封止する開閉部とを備えた再栓ロック付きキャップにおいて、前記開閉部は、前記ヒンジ部とは反対側に前記首部の外周面の一部を覆う断面円弧状の側壁部を備えるとともに、その側壁部の下端部に前記開閉部を押し上げるために指を掛ける突片部が設けられ、前記易破断部は、前記側壁部のエッジ部と前記円筒部との間に形成され、前記開閉部で前記突片部を挟んだ両側にロックバンドが一体に形成されるとともに、そのロックバンドの先端部には係合部が形成され、かつ前記円筒部のうち前記ヒンジ部に隣接した箇所には、前記係合部を係止させて前記開閉部を閉止状態に維持させる係止部が形成されており、前記ロックバンドは、前記係合部を前記係止部に係止することにより前記易破断部を横切って前記側壁部から円筒部に亘って巻き付けられるように構成されていることを特徴とするものである。
【発明の効果】
【００１０】
本発明によれば、ロックバンドの係合部を前記係止部に係止することにより、開閉部は前記口部を閉じた状態で前記円筒部に連結され、その結果、容器を封止した状態に維持できる。その円筒部と開閉部とは、ヒンジ部および易破断部を介して連結された構成であり、これに加えてロックバンドは、円筒部と開閉部とのいずれか一方と一体化されているから、ヒンジキャップの全体を一体成形するとともに、ピルファープルーフ機能を備えることができる。そして、開閉部における側壁部にロックバンドを一体化させ、ロック時には側壁部から円筒部に亘って巻き付ける構成とすれば、開閉部を確実にロックできるとともに、突片部とヒンジ部との間のスペースを利用してロックバンドを収容して外観をすっきりしたものとすることができる。
【図面の簡単な説明】
【００１１】
【図１】本発明に係るキャップの一例を示す斜視図である。
【図２】そのキャップの正面図である。
【図３】そのキャップの側面図である。
【図４】そのキャップの背面図である。
【図５】本発明で対象とすることのできる容器の首部の一例を示す正面図である。
【図６】キャップを容器の首部に取り付けた状態の断面図である。
【図７】図３のVII−VII線に沿う矢視断面図である。
【図８】盛り上げ部（あるいは段差部）の一例を示す部分図である。
【発明を実施するための形態】
【００１２】
つぎに、本発明をより具体的に説明する。本発明のキャップは、容器の飲み口あるいは取り出し口などの口部となる首部に取り付けられて、その口部を開閉するように構成されている。キャップは、射出成形、圧縮成形等従来公知の成形法により成形されるキャップに適用できるが、特に射出成形により、二次加工することなく成形されるものに有効である。キャップの成形に用いることができる樹脂としては、従来、樹脂キャップに用いられていたすべてのものを使用することができる。例えば、ポリエチレン、アイソタクティクポリプロピレン、エチレン−ポリプロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂あるいはポリカーボネート等の合成樹脂を挙げることができる。その容器は、主として飲料などの液体を充填するものであるが、本発明ではこれに限られない。また、容器は金属製、合成樹脂製、ガラス製、陶磁器製などのいずれであってもよい。首部は、その容器の本体部分から突出させて形成され、先端部が口部として開口している部分であり、円筒状をなすように形成されているのが一般的であるが、本発明ではこれに限られない。
【００１３】
本発明のキャップはその首部に取り付けられるように構成されている。その取り付け方法として、容器の首部の外周とキャップの内周とのそれぞれにネジ山が形成されて嵌合させられるネジ式のキャップと、容器の首部の外周とキャップの内周とのそれぞれに突状部が形成されて、キャップを首部に嵌め込んで嵌合させられる打栓式のキャップとがあるが、ここでは、キャップを首部の外周側に嵌め込んで首部に取り付けられる打栓式キャップを例にあげて説明する。その一例を図２ないし図４に示してある。なお、キャップは図に示す状態で使用されるのが通常であるから、以下の説明では、図に示してある状態での上下をキャップの上下として説明する。
【００１４】
ここに示すキャップ１は、首部２に嵌合させられて首部２に取り付けられる部分として円筒部３を備えている。その円筒部３は、首部２に取り付けられた後、容器が廃棄されて再生される場合以外では、首部２から取り外す必要がないので、いわゆる抜け止めした状態で首部２に嵌合させられるようになっている。
【００１５】
ここで首部２の構造について説明すると、図５はその一例を示し、首部２は、容器４の本体部５における上部に突出して形成された円筒状の部分であり、その上端部が開口して口部６となっている。また、その首部２の下端部すなわち本体部５に近い箇所に、フランジ部７が形成されている。このフランジ部７は、キャップ１の下端部を突き当ててキャップ１の上下方向での位置を決める部分である。このフランジ部７よりも上側に第１突条部８と第２突条部９とが所定の間隔をあけて設けられている。これらの突条部８，９は、首部２を取り巻いた状態の環状突起であり、第１突条部８は、第２突条部９よりも大きく首部２から突出している。すなわち、第１突条部８の外径が、第２突条部９の外径より大きい。さらに、各突条部８，９の上面が、外周端側で下がっている傾斜面（あるいはテーパー面）となっているのに対して、各突条部８，９の下面は、首部２の中心軸線に垂直な平面にほぼ一致する水平面となっている。すなわち、各突条部８，９は抜け止め部として作用するように構成されている。
【００１６】
そして、首部２の上端面すなわち口部６の輪郭部は、首部２の板厚より広い幅になっており、また角部は滑らかな曲面に形成されている。これは、キャップ１によるシール性を確保するためであり、また唇が接触した場合の感触を良好にするためである。
【００１７】
キャップ１は、円筒部３に加えて、開閉部１０を備えており、その円筒部３と開閉部１０とを連結するヒンジ部１１が設けられている。円筒部３は、図２ないし図４に示すように、首部２における前記フランジ部７に載っている状態に突き当てられるリング状の部分（以下、リング部と記す）３ａと、そのリング部３ａから軸線方向で上方に延びている立ち上がり部３ｂとを備えている。その立ち上がり部３ｂは、リング部３ａの半周以下の範囲に設けられ、リング部３ａと同様の曲率で湾曲した壁状の部分である。その上端部は首部２の上端部すなわち口部６に近い位置にまで到っている。その立ち上がり部３ｂの上端部にヒンジ部１１が設けられている。
【００１８】
このヒンジ部１１は、図４に示すように、円筒部３と開閉部１０とを連結している薄い二本の帯状の部分（以下、帯状部１１ａと記す）であり、それらの帯状部１１ａは円筒部３および開閉部１０と同一の素材で一体に形成されている。なお、それらの帯状部１１ａ同士の間隔は、キャップ１の中心を中心とした開き角度（キャップ１の中心と各帯状部１１ａとを結んだ線がなす角度）が２０〜７０°程度に設定されている。これは、開閉部１０を完全に開いた状態もしくは開閉部１０が略９０°以上に開栓した状態で、開閉部１０が口部６を封止する方向への回転に対して抵抗力を作用させるためである。つまり、開栓した状態を維持させるためである。
【００１９】
上記の立ち上がり部３ｂの上端縁は、ヒンジ部１１に近い箇所から左右に延び、かつヒンジ部１１に近い箇所を上端としてリング部３ａに向けて次第に下がっている。すなわち、立ち上がり部３ｂにおける左右両側の部分の上端縁３ｃは、キャップ１の１／４周に満たない範囲の短い螺旋状になっている。
【００２０】
上記のヒンジ部１１によって円筒部３に連結されている開閉部１０は、前記口部６を覆って口部６を封止するためのものであり、図に示す例では、円形の上板部１０ａと上板部１０ａの周縁部から垂下しているカバー部（側壁部）１０ｂとを備えている。上板部１０ａは前記口部６の外径より大きい円盤状の部分であり、その内面（下面）には、口部６に密着して嵌合する円筒状のプラグ部１０ｃが一体に形成されている。このプラグ部１０ｃは、例えば図６に示すように、円筒状の部分であってよいし、それ以外に口部６に密着して密封性が保たれるのであれば、このプラグ部１０ｃは平坦形状でもよいし、凹凸形状でもよいし、これに限られない。さらに、上板部１０ａの下面で、プラグ部１０ｃの外周側の部分には、首部２の上端面に密着させられる凸ビード１０ｄが形成されている。この凸ビード１０ｄは、首部２の上端面と同一径の環状の突条部であり、首部２の上端面に密着させられて、口部６の密閉状態を維持するように構成されている。
【００２１】
この上板部１０ａに一体化されているカバー部１０ｂは、前述した円筒部３における立ち上がり部３ｂと同様の湾曲した壁状の部分であり、あるいは一部欠けた円筒状の部分である。したがって、このカバー部１０ｂは、首部２の外周面のうち、首部２の中心軸線を挟んで前記ヒンジ部１１とは反対側の部分、言い換えれば前記立ち上がり部３ｂによっては覆われていない部分を覆うように構成されている。このカバー部１０ｂの構成を更に説明すると、カバー部１０ｂは前述した円筒部３と共に、首部２を覆うように構成され、したがってその形状は、首部２の外面のうち、前記円筒部３によっては覆われていない部分を覆う形状になっている。具体的には、前記リング部３ａのうち前記立ち上がり部３ｂが設けられていない箇所に対応する箇所、すなわち前記リング部３ａのうち前記立ち上がり部３ｂが設けられていない箇所の上側に位置させられる部分は、リング部３ａとほぼ等しい半径の筒状に形成され、その筒状の部分の左右から前記立ち上がり部３ｂに向けて延びている部分は、円筒部３ａの曲率とほぼ等しい曲率で湾曲し、かつ立ち上がり部３ｂのリング部３ａからの高さが前記ヒンジ部１１に向けて次第に高くなっていることに倣って、首部２の軸線方向に測った高さ（あるいは幅）が次第に小さくなっている。すなわちカバー部１０ｂの左右の部分の下端縁１０ｅは、立ち上がり部３ｂにおける左右両側の部分の上端縁３ｃと平行になるように傾斜し、キャップ１の１／４周に満たない範囲の短い螺旋状になっている。
【００２２】
そして、円筒部３と開閉部１０との境界部のうち、上述した立ち上がり部３ｂにおける左右両側の部分の上端縁３ｃとカバー部１０ｂの左右の部分の下端縁１０ｅとの間には、キャップ１の外面側からＶ字状に切り込まれ、残厚が円筒部３や開閉部１０の肉厚より薄いスコア線１２が形成されている（例えばスコア残厚０．１〜０．３ｍｍ）。このスコア線１２は、開閉部１０を円筒部３に対して押し上げることにより破断し、開閉部１０が前記ヒンジ部１１を中心にして回転できるようにするためのものであり、前記立ち上がり部３ｂにおける左右両側の部分の上端縁３ｃとカバー部１０ｂの左右の部分の下端縁１０ｅとの全長に亘って形成されている。このスコア線１２の断面形状を図７に示してある。これは、図３のVII−VII線に沿う矢視断面図である。
【００２３】
上記の円筒部３と開閉部１０との間のうちリング部３ａとカバー部１０ｂとの間に、キャップ１の内外に貫通したスリット１３が形成されている。このスリット１３は、言い換えれば、リング部３ａと開閉部１０（もしくはカバー部１０ｂ）とを区画する部分であって、前述した立ち上がり部３ｂにおける左右の上端縁３ｃおよびこれと平行になっているカバー部１０ｂの左右の下端縁１０ｅの下側の端部同士の間に、キャップ１の円周方向に沿って形成されている。スリット１３は、図に示す例では、円周方向に直列に並んで複数形成されており、それらのスリット１３同士の間は、細いブリッジ部１５となっている。このブリッジ部１５は、前述したスコア線１２と共に、破断することにより、開閉部１０が一旦開けられたことを示す機能を果たすものであり、幅および厚さ（すなわち太さ）が円筒部３や開閉部１０の肉厚より小さく設定され、容易に破断するように構成されている。これらスコア線１２およびブリッジ部１５が本発明の易破断部に相当している。
【００２４】
なお、スコア線１２に隣接した箇所すなわちスコア線１２がスリット１３に臨む箇所（スリット１３に繋がる箇所）に薄肉弱化部１４が設けられている。この薄肉弱化部１４は、キャップ１を容器４に取り付ける場合の打栓力により、スコア線１２での応力集中やスコア線１２の破断もしくは亀裂を抑制もしくは防止するものであり、スコア線１２よりＶ字状溝の底部の幅が広く形成されている。
【００２５】
また、図に示す例では、スコア線１２を構成するＶ字状溝の一方の側壁がキャップ１の外面に対してほぼ垂直になっているのに対して他方の側壁がキャップ１の外面に対して垂直より小さい角度で交わるように傾斜している。具体的には、図３および図７に符号Ｐを付してある面がこのような傾斜面となっている。これは、分割型を使用してキャップ１を射出成形する場合、分割型の一つが図３の右方向に移動することになるので、その際にアンダーカットになる部分での分割型の引っ掛かりを防止もしくは抑制するためである。
【００２６】
上述したように、開閉部１０を円筒部３側から押し上げるように開閉部１０に力を加えると、前述したブリッジ部１５やスコア線１２に破断が生じ、開閉部１０がヒンジ部１１を中心に回転する。その場合、開閉部１０の各部分がヒンジ部１１を中心にした円弧上を移動し、また開閉部１０におけるカバー部１０ｂおよび首部２が円筒状であるから、カバー部１０ｂが首部２の外周面と干渉しないようにするために、スコア線１２のスリット１３側の端部における傾斜角度が２０°以上になっている。ここで、この傾斜角度とは、スコア線１２が前述したように螺旋状に湾曲しているので、そのスコア線１２の接線と首部２の中心軸線に垂直な平面との間の角度である。
【００２７】
また、カバー部１０ｂが首部２に干渉しないようにするために、スコア線１２の前記スリット１３側の端部すなわちスコア線１２の破断の起点の位置が、前記ヒンジ部１１の中心から首部２の円周方向に９０°回った位置よりヒンジ部１１側に設定されている。
【００２８】
前述したカバー部１０ｂのうち、首部２の中心軸線を挟んでヒンジ部１１とは反対側の部分に、指を掛けるための突片部（摘み部）１６が形成されている。図２ないし図４に示す例では、その突片部１６はカバー部１０ｂの下端部に、カバー部１０ｂからその半径方向で外側に突出して形成されている。そして、その突片部１６を挟んだ左右の少なくとも一方（図示の例では両方）に縦スリット１６ａが形成されている。この縦スリット１６ａは、突片部１６およびこれが形成されている部分が、他の部分から独立して撓むことを許容するため、またその撓みを生じ易くするために形成されたものであり、カバー部１０ｂの下端縁から上側に所定の長さに亘ってカバー部１０ｂを切除した状態（または切り裂いた状態）に形成されている。
【００２９】
そして、その突片部１６およびこれが形成されている部分の撓みを容易にするために、突片部１６の下側には前述したブリッジ部１５は設けられていない。言い換えれば、カバー部１０ｂの下端縁のうち突片部１６の位置に一致する部分と前記リング部３ａの上端縁との間にはスリット１３が形成され、これらの部分同士は連結されていない。
【００３０】
なお、ブリッジ部１５は開閉部１０を押し上げることにより破断するように構成された強度の弱い部分であり、したがって圧縮力を受けた場合にも破断する可能性がある。そこで、スリット１３の幅を部分的に狭くするための盛り上げ部もしくは段差部（以下、単に盛り上げ部と記す）１７が形成されている。図８の（ａ）および（ｂ）にその例を示してあり、前記リング部３ａの上端縁のうち、前述した薄肉弱化部１４に近い箇所および前記突片部１６に対向する箇所のそれぞれは、僅かに高くなっていてこの部分が盛り上げ部１７とされている。したがって、盛り上げ部１７においては、カバー部１０ｂの下端縁との間隔が短くなっている。そのため、開閉部１０が円筒部３側に押圧された場合、ブリッジ部１５を撓ませつつ開閉部１０が円筒部３側に移動するが、盛り上げ部１７との間の寸法だけ移動した後は、盛り上げ部１７に接触し、それ以上には移動しない。すなわち、ブリッジ部１５に掛かる荷重およびその変形が盛り上げ部１７によって制限されて、ブリッジ部１５の破断が防止もしくは抑制されるようになっている。
【００３１】
さらに、前記円筒部３を首部２に留め置くための構成、および開閉部１０を閉止状態に留め置くための構成について説明すると、リング部３ａの内周面には、首部２の外周面に形成されている第１突条部８の下側に係合するようにリング部３ａの中心側に突出した第１係合部１８が形成されている。この第１係合部１８は、リング部３ａの内周全体に繋がった環状の突部であってもよく、あるいは円弧状の短い突部であってもよい。また、第１係合部１８の高さ方向での位置は、首部２に形成されている第１突条部８に係合した場合に、リング部３ａを首部２におけるフランジ部７に密着させる程度の高さ位置であることが好ましい。
【００３２】
また、前記カバー部１０ｂのうち前記突片部１６が形成されている箇所の内面には、首部２に形成されている第２突条部９の下側に係合する第２係合部１９が形成されている。この第２係合部１９は、前述した縦スリット１６ａの間で、カバー部１０ｂの下端部に沿って形成された突部である。その第２係合部１９の上下方向での位置は、開閉部１０の下面に形成されている前記プラグ部１０ｃが口部６に密着した状態に嵌合し、かつ凸ビード１０ｄが首部２の上端面に密着した状態で第２突状部９に係合し、その状態を維持する位置に設定されている。
【００３３】
ここで、本発明に係るロックバンドについて説明する。ロックバンド２０は、開閉部１０と円筒部３とを連結させ、不用意にキャップ１が開蓋しないために設けられたものである。図１ないし図４に示す例では、ロックバンド２０は、キャップ１を巻き付ける腕部２０ａと、円筒部３に設けられた後述する係止部２１に係合させるための係合部２０ｂとで構成されている。この腕部２０ａは、開閉部１０からスコア線１２を横切って円筒部３までのキャップ１の外周に沿ってキャップ１を巻き付けることができるように薄い帯状に形成されていて、その腕部２０ａの一端は開閉部１０の側壁部の下方部と連結され、他端には係合部２０ｂが形成されている。したがって、腕部２０ａの長さは、開閉部１０に連結された箇所から係止部２１までのキャップ１の外周の長さと同一もしくは若干短く設定する。腕部２０ａの長さをこのように設定するのは、腕部２０ａの長さが長いと、設定の長さより長い分、開閉部２０が回動することができてしまい、ロック機能が不完全となる可能性が生じるからである。
【００３４】
そして、腕部２０ａの先端に形成された係合部２０ｂは、腕部２０ａより幅が広い断面長方形もしくは直方体に形成されていて、さらに、係合部２０ｂの先端のキャップ１を取り巻いた状態での外周側には、外周方向に向けて突出した突出部２０ｃが形成されている。この突出部２０ｃは、係止部２１より外周方向に突出部２０ｃを突出させることにより、ロックバンド２０を係止部２１から外すもしくは解除あるいは解放する場合に、指がかかりやすくするためのものである。このロックバンド２０は、キャップ１に少なくとも一箇所に設ければよいが、ロック機能の確実性を高めるために図２または図４に示すように二箇所に設けることが好ましい。また、開閉部１０とロックバンド２０との連結箇所は、図に示すようにスコア線１２の下端の近傍すなわちスコア線１２がスリット１３に臨む箇所の近傍、言い換えれば、開閉部１０に設けられた突片部１６からキャップ１の円周方向に９０°回った位置より円筒部３側に設けることが好ましい。ロックバンド２０と開閉部１０との連結箇所をスコア線１２の下端の近傍としたことによる作用については後述する。
【００３５】
一方、ロックバンド２０が係合する係止部２１は、円筒部３のリング部３ａとヒンジ部１１との間に設けられている。この係止部２１は、ヒンジ部１１の二つの帯状部１１ａ同士の間の距離と略等しい幅でリング部３ａとヒンジ部１１との間の壁面部の大部分を占める長方形もしくは直方体の部分であり、円筒部３から外周へ抜けて突出して形成されている。つまり、係止部２１が形成されている箇所の板厚もしくは肉厚は、他の円筒部の板厚と比較して厚く形成されている。また、係止部２１には、係止溝２１ａが形成されている。この係止溝２１ａは、前記係合部２０ｂを係止するためのものであるので、係合部２０ｂや係合部２０ｂの根元に位置する腕部２０ａと同様の形状の溝でありＴ字状溝である。この係止溝２１ａの幅は、係合部２０ｂや腕部２０ａの幅と同じもしくは若干狭く設定されている。したがって、ロックバンド２０を係止部２１に係合させるときは、係止溝２１ａに係合部２０ｂを押し込んで嵌め込むこととなる。言い換えれば、係合部２０ｂと係止溝２１ａとには隙間がないので、ロックバンド２０の弾性力により係合部２０ｂが係止溝２１ａから外れることがない。
【００３６】
つぎに、この発明に係るロックバンド２０および係止部２１の作用について説明する。このキャップ１は、上下左右の合計四つの分割型を用いた射出成形法により製造することができる。その分割型の型開き方向は、ヒンジ部１１を設けた箇所に基づいて決まる。つまり、ヒンジ部１１の構造は凹凸形状があって複雑なため、ヒンジ部１１を成形する分割型の移動方向に制約があり、そのため上述した構成例では、キャップ１の側壁面を形成する分割型は、スコア線１２の下端部もしくは薄肉弱化部１４の近傍を金型の合わせ面として図３における左右方向に開くようになっている。したがって、ロックバンド２０の成形位置も金型の開き方向に基づいて、上述したスコア線１２の下端部もしくは薄肉弱化部１４の近傍となり、ロックバンド２０は図２ないし図４に示すようにキャップ１の半径方向に開いた状態で成形される。そして、ロックバンド２０を容器４に取り付ける場合は、特に上述した構成例のように打栓式キャップの場合は、ロックバンド２０を係止部２１に係止させてから、容器４に打栓することが好ましい。これは、打栓時に開閉部１０が受けた打栓力をロックバンド２０を介して円筒部３で受けることにより、ブリッジ部１５とスコア線１２とにかかる力を低減させて、破断もしくは亀裂が発生するのを抑制するためである。
【００３７】
また、口部６を開蓋する場合には、ロックバンド２０の突出部２０ｃを引くことにより係止部２１からロックバンド２０を解放もしくは解除させ、ついで開閉部１０の突片部１６を押し上げる。この場合に、ロックバンド２０がスコア線１２の下端部もしくは薄肉弱化部１４の近傍に設けられ、係止部２１がヒンジ部１１の近傍に設けられているから、スコア線１２の下端部の近傍とヒンジ部１１の近傍との剛性が高くなっている。したがって、開栓力がスコア線１２の下端部もしくはヒンジ部１１の近傍の変形力として作用して消費してしまうことを抑制できるので、スコア線１２の下端部に打栓力もしくは荷重が伝わりやすくスコア線１２を破断しやすくなる。そして、口部６を再度封止して、開閉部１０を円筒部３と固定する場合には、開閉部１０のプラグ部１０ｃを口部６に嵌合させる。言い換えると、開閉部１０を元の位置に戻す。そして、ロックバンド２０を係止部２１に係合させる。ロックバンド２０を係止部２１に係合させることにより、開閉部１０を開栓する方向に開栓力を受けた場合でも、開栓方向の動作に対して抑制する方向にロックバンド２０が作用するので閉止状態を維持することができる。
【００３８】
なお、本発明は上述した具体例に限定されない。すなわち、本発明は首部に取り付けられる円筒部と、その円筒部にヒンジ部を介して取り付けられた開閉部とをロックもしくは固定するために、開閉部と円筒部とのいずれかにロックバンドを設け、他方に係止部を設けていればよい。したがって、ロックバンドを円筒部に設け、係止部を開閉部に設けてもよく、また、係合部および係止部の形状すなわち係合方法も上述した方向に限定されない。さらに、ブリッジ部やスコア線は、開閉部を円筒部から容易に破断もしくは剥離されるための形状であり、本発明での易破断部はこれに限定されない。またさらに、盛り上げ部（あるいは段差部）や薄肉弱化部などの構成については、他の構成を設けることは任意である。
【符号の説明】
【００３９】
１…キャップ、  ２…首部、  ３…円筒部、  ３ａ…リング部、  ３ｂ…立ち上がり部、  ３ｃ…（立ち上がり部における左右両側の部分の）上端縁、  ４…容器、  ５…本体部、  ６…口部、  ７…フランジ部、  ８…第１突条部、  ９…第２突条部、  １０…開閉部、  １０ａ…上板部、  １０ｂ…カバー部、  １０ｃ…プラグ部、  １０ｄ…凸ビード、  １０ｅ…（カバー部の左右の部分の）下端縁、  １１…ヒンジ部、  １１ａ…帯状部、  １２…スコア線、  １２ａ…スコア線開始部  １３…スリット、  １４…薄肉弱化部、  １５…ブリッジ部、  １６…突片部、  １６ａ…縦スリット、  １７…盛り上げ部（段差部）、  １８…第１係合部、  １９…第２係合部、  ２０…ロックバンド、  ２０ａ…腕部、  ２０ｂ…係合部、  ２０ｃ…突出部、  ２１…係止部、  ２１ａ…係止溝、  Ｐ…傾斜面。
【図１】
0005523902.tif 000002
【図２】
0005523902.tif 000003
【図３】
0005523902.tif 000004
【図４】
0005523902.tif 000005
【図５】
0005523902.tif 000006
【図６】
0005523902.tif 000007
【図７】
0005523902.tif 000008
【図８】
0005523902.tif 000009